(57)【要約】【課題】切断刃の駆動速度すなわちモーターの回転数を簡便に調整することができ、しかも、ユーザーの意に反したモーターの変速を防止し得る電気かみそりを提供する。【解決手段】電気かみそりは、グリップを兼ねる本体ケース１と、電源投入用の電源スイッチ１０と、可動刃４を含む切断刃３と、可動刃４を駆動させるモーター６と、外力に起因する本体ケース１の振動を感知する感振センサ１７を備えており、感振センサ１７が出力する検知信号に従ってモーター６が変速される。ひげ剃りの際に電気かみそりが肌面に沿って移動操作される方向を剃毛方向と規定したとき、当該剃毛方向とは異なる方向に感振センサ１７の検知方向が設定されており、感振センサ１７が検知方向の振動を感知したときに当該感振センサ１７より検知信号が出力され、当該検知信号に従ってモーター６が変速される。【選択図】図１
2020092779.tif 000002
【特許請求の範囲】
【請求項１】
グリップを兼ねる本体ケース（１）と、電源投入用の電源スイッチ（１０）と、可動刃（４）を含む切断刃（３）と、可動刃（４）を駆動させるモーター（６）と、外力に起因する本体ケース（１）の振動を感知する感振センサ（１７）とを備え、
感振センサ（１７）が出力する検知信号に従ってモーター（６）が変速されるように構成されていることを特徴とする電気かみそり。
【請求項２】
ひげ剃りの際に電気かみそりが肌面に沿って移動操作される方向を剃毛方向と規定したとき、当該剃毛方向とは異なる方向に感振センサ（１７）の検知方向が設定されており、
感振センサ（１７）が検知方向の振動を感知したときに当該感振センサ（１７）より検知信号が出力され、当該検知信号に従ってモーター（６）が変速されるように構成されている請求項１に記載の電気かみそり。
【請求項３】
感振センサ（１７）により、検知方向に係る一方の方向の振動が感知されるとモーター（６）が加速され、
感振センサ（１７）により、検知方向に係る他方の方向の振動が感知されるとモーター（６）が減速されるように構成されている請求項２に記載の電気かみそり。
【請求項４】
電気かみそりの電源がオフ状態である状態において、本体ケース（１）に所定の振動が加えられて、当該振動が感振センサ（１７）により感知されると、電源スイッチ（１０）のオン操作が無効となるロック状態に移行するように構成されている請求項１から３のいずれかひとつに記載の電気かみそり。
【請求項５】
ロック状態において、電源スイッチ（１０）を所定の方法で操作するアンロック操作が行われると、ロック状態が解除されるように構成されている請求項４に記載の電気かみそり。
【請求項６】
感振センサ（１７）が本体ケース（１）の上下中心よりも上方に配置されている請求項１から５のいずれかひとつに記載の電気かみそり。
【請求項７】
電源スイッチ（１０）が、本体ケース（１）の表面に設けられて人体の接触を検知するタッチセンサ（１０Ａ）で構成されている請求項１から６のいずれかひとつに記載の電気かみそり。
【請求項８】
感振センサ（１７）で感知された検知方向に係る一方の方向の振動が大きいほど、モーター（６）が大きく加速されるように構成されている請求項３に記載の電気かみそり。
【請求項９】
感振センサ（１７）で感知された検知方向に係る他方の方向の振動が大きいほど、モーター（６）が大きく減速されるように構成されている請求項３または８に記載の電気かみそり。
【発明の詳細な説明】
【技術分野】
【０００１】
本発明は、ユーザーの操作で切断刃の駆動速度を変更可能な電気かみそりに関する。
【背景技術】
【０００２】
この種の電気かみそりは例えば特許文献１に開示されている。同文献に記載の電気かみそりは、グリップを兼ねる縦長の本体ケースと、本体ケースの上部で支持されるかみそりヘッドとを備える。かみそりヘッドの上部には、固定刃（外刃）と可動刃（内刃）からなる切断刃が設けられており、可動刃は本体ケースに収容されたモーターで駆動される。モーターの駆動用の電源スイッチは、本体ケースの前面の略中央に配置されており、その直ぐ下方には、モーターの回転数設定手段としてのダイヤル型のボリュームが、回転数の表示部と並んで配置されている。電気かみそりの制御部は、ユーザーにより電源スイッチがオン操作されると、ボリュームで設定されている回転数でモーターを駆動させる。
【先行技術文献】
【特許文献】
【０００３】
【特許文献１】特開昭６３−２０３１８０号公報
【発明の概要】
【発明が解決しようとする課題】
【０００４】
電気かみそりでひげを剃るときに最適な切断刃の駆動速度（モーターの回転数）は、例えば鼻下や顎など、顔の部位ごとに異なることがある。そのため、ユーザーによっては、電気かみそりを別の部位へ移動させる毎に、切断刃の駆動速度の変更を所望することがある。特許文献１の電気かみそりでは、本体ケースの前面に回転数設定手段としてのボリュームが配置されており、ユーザーは該ボリュームを指先で摘んで操作することにより、切断刃を所望の駆動速度に調整することができる。しかし、ユーザーによっては、駆動速度の調整の度にボリュームを摘んで操作するのは煩わしいと感じることがある。また、ひげ剃りを行う間に指が誤ってボリュームに触れてしまい、ユーザーの意に反して切断刃の駆動速度が変化するおそれもある。
【０００５】
本発明は、切断刃の駆動速度すなわちモーターの回転数を簡便に調整することができる電気かみそりを提供することを目的とする。また本発明は、ユーザーの意に反したモーターの変速を防止し得る電気かみそりを提供することを目的とする。
【課題を解決するための手段】
【０００６】
本発明の電気かみそりは、グリップを兼ねる本体ケース１と、電源投入用の電源スイッチ１０と、可動刃４を含む切断刃３と、可動刃４を駆動させるモーター６と、外力に起因する本体ケース１の振動を感知する感振センサ１７とを備える。そして、感振センサ１７が出力する検知信号に従ってモーター６が変速されるように構成されていることを特徴とする。
【０００７】
ひげ剃りの際に電気かみそりが肌面に沿って移動操作される方向を剃毛方向と規定したとき、当該剃毛方向とは異なる方向に感振センサ１７の検知方向が設定されており、感振センサ１７が検知方向の振動を感知したときに当該感振センサ１７より検知信号が出力され、当該検知信号に従ってモーター６が変速されるように構成することができる。
【０００８】
感振センサ１７により、検知方向に係る一方の方向の振動が感知されるとモーター６が加速され、感振センサ１７により、検知方向に係る他方の方向の振動が感知されると、モーター６が減速させるように構成することができる。
【０００９】
電気かみそりの電源がオフ状態である状態において、本体ケース１に所定の振動が加えられて、当該振動が感振センサ１７により感知されると、電源スイッチ１０のオン操作が無効となるロック状態に移行するように構成することができる。
【００１０】
ロック状態において、電源スイッチ１０を所定の方法で操作するアンロック操作が行われると、ロック状態が解除されるように構成することができる。
【００１１】
感振センサ１７を本体ケース１の上下中心よりも上方に配置することができる。
【００１２】
電源スイッチ１０を、本体ケース１の表面に設けられて人体の接触を検知するタッチセンサ１０Ａで構成することができる。
【００１３】
感振センサ１７で感知された検知方向に係る一方の方向の振動が大きいほど、モーター６が大きく加速されるように構成することができる。
【００１４】
感振センサ１７で感知された検知方向に係る他方の方向の振動が大きいほど、モーター６が大きく減速されるように構成することができる。
【発明の効果】
【００１５】
本発明に係る電気かみそりでは、外力に起因する本体ケース１の振動を感知する感振センサ１７を設けて、当該感振センサ１７が出力する検知信号に従ってモーター６が変速されるように構成したので、ユーザーは、本体ケース１を意図的に振るだけの簡単な操作を行うだけで、モーター６を変速させて、回転数を調整することができる。
【００１６】
感振センサ１７が剃毛方向とは異なる方向の振動を感知したときに当該感振センサ１７より検知信号が出力され、当該検知信号に従ってモーター６が変速されるように構成されていると、剃毛方向への電気かみそりの移動操作によりモーター６の変速が行われることはなく、電気かみそりを使ったひげ剃り時に不用意にモーター６の回転数が調整されることを防ぐことができる。
【００１７】
感振センサ１７により検知方向に係る一方の方向の振動が感知されるとモーター６が加速され、検知方向に係る他方の方向の振動が感知されるとモーター６が減速されるように構成されていると、ユーザーは本体ケース１を一方或いは他方のいずれかの検知方向に本体ケース１を振るだけの簡単な操作で、モーター６を加速あるいは減速させて所望の回転数に調整することができる。一方の方向と他方の方向とが正反対の方向に設定されていると、加速操作と減速操作とを誤認混同して誤操作することをより確実に防止できる。
【００１８】
ロック状態に移行可能な電気かみそりによれば、携帯時などに電源スイッチ１０が不用意に操作されてオン状態に切り換わることを確実に防止できる。そのうえで、電気かみそりの電源がオフ状態である状態において、本体ケース１に所定の振動が加えられて、当該振動が感振センサ１７により感知されることでロック状態に移行するように構成されていると、ロック状態に移行させるための専用のスイッチが不要になるので、ロック機能の追加に伴う部品点数の増加を招くことがなく、コストの削減に寄与できる。
【００１９】
ロック状態を解除するためのアンロック操作が電源スイッチ１０の操作であると、ユーザーは電源スイッチ１０から指を移動させること無く、ロック解除から電源投入までの一連の操作をスムーズに行える。また、アンロック操作のための専用のスイッチが不要になるので、部品点数の増加を招くことがなく、コストの削減に寄与できる。
【００２０】
感振センサ１７が本体ケース１の上下中心よりも上方に配置されていると、ユーザーが本体ケース１の下半部を握ってひげ剃りを行う場合に、ユーザーの手から感振センサ１７までの上下方向距離をより長くすることができる。このようにユーザーの手から感振センサ１７までの上下方向距離を長くすることができると、ユーザーの手を中心に電気かみそりが揺動操作されたときの感振センサ１７の振れ幅を大きくすることができるので、揺動操作時に感振センサ１７を確実に作動させることが可能となり、モーター６の回転数の調整操作をより確実に行うことができる。
【００２１】
本体ケース１の表面のタッチセンサ１０Ａで電源スイッチ１０が構成されていると、ユーザーが本体ケース１を握るだけで、タッチセンサ１０Ａがユーザーの手を検知して電源がオン状態に切り換わるので、ユーザーは電源スイッチ１０を意識的に操作する必要が無く、電気かみそりを素早く起動させることができる。また、電源スイッチ１０をタッチセンサ１０Ａで構成すると、本体ケース１の表面から見かけ上のスイッチが省略されたシンプルなデザインとなり、本体ケース１の美観が向上する。
【００２２】
感振センサ１７で感知される検知方向に係る一方の方向の振動が大きいほど、モーター６が大きく加速されるように構成されていると、ユーザーは、モーター６を大きく加速させたい場合は本体ケース１を強く振り、モーター６を少しだけ加速させたい場合はこれを弱く振るといった具合に、振動の強さを加減することにより、モーター６の回転数を容易に調整することができる。
【００２３】
感振センサ１７で感知される検知方向に係る他方の方向の振動が大きいほど、モーター６が大きく減速されるように構成されていると、ユーザーは、モーター６を大きく減速させたい場合は本体ケース１を強く振り、モーター６を少しだけ減速させたい場合はこれを弱く振るといった具合に、振動の強さを加減することにより、モーター６の回転数を容易に調整することができる。
【図面の簡単な説明】
【００２４】
【図１】本発明の実施例１に係る電気かみそりの正面図である。
【図２】電気かみそりの側面図である。
【図３】電気かみそりの制御系のブロック図である。
【図４】モーターの目標回転数の遷移の一例を示すタイミングチャートである。
【図５】ロック状態について説明するためのタイミングチャートである。
【図６】本発明の実施例２に係る電気かみそりの動作について説明するためのタイミングチャートである。
【図７】本発明の実施例３に係る電気かみそりの動作について説明するためのタイミングチャートである。
【図８】本発明の実施例４に係る電気かみそりの正面図である。
【図９】本発明の実施例５に係る電気かみそりの感振センサの内部構造図である。
【図１０】本発明の実施例６に係る電気かみそりの感振センサの内部構造図である。
【図１１】本発明の実施例７に係る電気かみそりの動作について説明するためのタイミングチャートである。
【図１２】本発明の実施例８に係る電気かみそりの感振センサの内部構造図である。
【図１３】本発明の実施例９に係る電気かみそりの感振センサの内部構造図である。
【発明を実施するための形態】
【００２５】
（実施例１）  図１から図５に、本発明をロータリー式の電気かみそりに適用した実施例１を示す。本実施例における前後、左右、上下とは、図１および図２に示す交差矢印と、各矢印の近傍に表記した前後、左右、上下の表示に従う。両図において電気かみそりは、グリップを兼ねる縦長の本体ケース１と、本体ケース１の上部で支持されるかみそりヘッド２とを備える。かみそりヘッド２は、本体ケース１に対して上下動可能であり、さらに前後方向と左右方向に傾動可能である。かみそりヘッド２の上部には切断刃３が配置されており、該切断刃３は、水平軸まわりに回転する内刃（可動刃）４と、内刃４に外接する網目状の外刃５とで構成される。内刃４は、本体ケース１の上部に収容された減速機付きのモーター６で駆動される。本体ケース１の下部には、モーター６の駆動源である二次電池７が、縦長の制御基板８とともに収容されている。
【００２６】
本体ケース１の下半部（上下中心よりも下方）には、電源投入用の電源スイッチ１０と表示部１３とが上から下へ記載順に配置されている。電源スイッチ１０は、本体ケース１の前壁に設けられた電源操作部１１と、制御基板８の前面に実装されて電源操作部１１の内面側に位置するスイッチ素子１２とで構成される。ユーザーは、電源操作部１１を介してスイッチ素子１２を押圧操作して、モーター６を駆動状態と停止状態の間で切り換えることができる。表示部１３は、制御基板８の前面に実装された上下に並ぶ５個のＬＥＤ（光源）１４と、本体ケース１の前壁に設けられて各ＬＥＤ１４に正対する縦長の透光窓１５とで構成されており、ユーザーは透光窓１５を介して各ＬＥＤ１４の発光を視認することができる。表示部１３は、点灯するＬＥＤ１４の選択や個数によって、モーター６の回転数や二次電池７の残量などを表示する。
【００２７】
本体ケース１の上部におけるモーター６の前方には、市販の加速度センサからなる感振センサ１７が内蔵されており、不図示のリード線で制御基板８に接続されている。感振センサ１７は、本体ケース１に作用した外力に起因する比較的大きな振動、すなわち、ユーザーが本体ケース１を意図的に振ることで生じた振動を感知すると、モーター６を変速させる変速信号である検知信号を出力する。モーター６の駆動などに起因する比較的小さな振動は、感振センサ１７では感知されないか、あるいは感知されたとしても、それに基づいて感振センサ１７が変速信号を出力することは無い。
【００２８】
前後方向がひげ剃りの際に電気かみそりが肌面に沿って移動操作される方向すなわち剃毛方向とされており、この前後方向と異なる方向である上下方向と左右方向とが、感振センサ１７の検知方向に設定されている。感振センサ１７が出力する検知信号には、モーター６を加速させる加速信号と、モーター６を減速させる減速信号の２種類があり、感振センサ１７が感知する振動の方向に応じていずれかの信号が出力される。この電気かみそりでは、上方向と左方向が加速方向に設定されており、感振センサ１７が同方向の振動を感知すると加速信号が出力される。また、加速方向と反対の方向すなわち下方向と右方向が減速方向に設定されており、感振センサ１７が同方向の振動を感知すると減速信号が出力される。上述のように、前方向と後方向は、ひげ剃りの際に電気かみそりが肌面に沿って移動操作される方向すなわち剃毛方向と一致するため、これら方向は加速方向と減速方向には設定されておらず、ひげ剃りの際の電気かみそりの移動操作に基づいては感振センサ１７が変速信号を出力することはない。従って、ひげ剃りの際に不用意にモーター６が変速されることはない。
【００２９】
図３に示すように制御部２０は、モーター６を駆動制御するモーター駆動制御手段２１と、表示部１３の各ＬＥＤ１４を制御する表示制御手段２４などで構成される。モーター駆動制御手段２１は、モーター６の目標回転数Ｒを設定する速度設定部２６と、目標回転数Ｒに応じてモーター６に印加する電圧を制御する電圧制御部２７とを備える。表示制御手段２４は、速度設定部２６で設定されるモーター６の目標回転数Ｒを表示部１３に表示させる。
【００３０】
電気かみそりのオフ状態においてユーザーが電源スイッチ１０を押圧操作、すなわちオン操作すると、速度設定部２６はモーター６の目標回転数Ｒを所定の基準回転数Ｒ０に設定し、電圧制御部２７は基準回転数Ｒ０に応じた電圧をモーター６に印加する。これによりモーター６が駆動を開始する。モーター６の駆動状態において、ユーザーが本体ケース１を加速方向または減速方向に振動させると、感振センサ１７が該振動を感知して変速信号（加速信号または減速信号）を速度設定部２６へ出力し、速度設定部２６は該変速信号に従って目標回転数Ｒを変更し、電圧制御部２７は変更後の目標回転数Ｒに応じた電圧をモーター６に印加する。
【００３１】
モーター６の基準回転数Ｒ０は最小回転数に一致しており、目標回転数Ｒが基準回転数Ｒ０のときに感振センサ１７から減速信号が出力されても、速度設定部２６は目標回転数Ｒを基準回転数Ｒ０に維持する。また、目標回転数Ｒに関しては、基準回転数Ｒ０に加えて所定の最大回転数Ｒ１（Ｒ０＜Ｒ１）が予め設定されている。目標回転数Ｒが最大回転数Ｒ１のときに感振センサ１７から加速信号が出力されても、速度設定部２６は目標回転数Ｒを最大回転数Ｒ１に維持する。
【００３２】
図４のタイミングチャートは、モーター６の目標回転数Ｒの変化の一例を示したものである。最初の時点ｔ１では、電源スイッチ１０がオン操作されて、速度設定部２６が目標回転数Ｒを基準回転数Ｒ０に設定している。次の時点ｔ２から時点ｔ３にかけては、感振センサ１７から複数回にわたって加速信号が出力されており、該出力毎に目標回転数Ｒが段階的に上昇している。次の時点ｔ４から時点ｔ５にかけては、感振センサ１７から複数回にわたって減速信号が出力されており、該出力毎に目標回転数Ｒが段階的に低下している。最後の時点ｔ６では、電源スイッチ１０がオフ操作されて、目標回転数Ｒがゼロに設定されている。目標回転数Ｒがゼロになると、電圧制御部２７による電圧の印加が中断されて、モーター６が停止する。
【００３３】
本実施例に係る電気かみそりは、モーター６の停止状態において所定のロック操作が行われると、電源スイッチ１０のオン操作が無効となるロック状態に移行するとともに、ロック状態において所定のアンロック操作が行われると、ロック状態が解除されるように構成されている。ロック操作は本体ケース１に対する加振操作であり、アンロック操作は電源スイッチ１０の長押し操作である。
【００３４】
図５は図４のタイミングチャートの時点ｔ６以降を示しており、次の時点ｔ７および時点ｔ８では、感振センサ１７が所定以上の大きさの振動を短いタイムラグで続けて感知（オン）して、２度目の振動を感知した時点ｔ８にロック状態に切り換わっている。つまり制御部２０は、時点ｔ７の１度目の加振操作を受けて、ロック操作を受付可能なロック待機状態に切り換わり、その直後の時点ｔ８の２度目の加振操作（ロック操作）を受けて、ロック状態に移行している。次の時点ｔ９では、電源スイッチ１０が短く押されているが、ロック状態であるためモーター６は起動していない。
【００３５】
次の時点ｔ１０ではアンロック操作（電源スイッチ１０の長押し操作）が開始されており、次の時点ｔ１１では、長押し時間が規定時間に達してロック状態が解除されている。次の時点ｔ１２では、電源スイッチ１０がオン操作されてモーター６が起動している。このように、電源スイッチ１０の長押し操作でロック状態を解除できるようにしていると、ユーザーは電源スイッチ１０から指を移動させること無く、ロック解除から電源投入までの一連の操作をスムーズに行える。なお、時点ｔ１１のアンロック操作の完了と同時にモーター６が起動するように設定することもできる。
【００３６】
（実施例２）  図６に示す本発明の実施例２は、ユーザーが電源スイッチ１０をオン操作しただけではモーター６は起動せず、その後に本体ケース１に対して加振操作して初めてモーター６が起動するようにした点で、先の実施例１と異なる。同図のタイミングチャートに示すように、電源スイッチ１０がオン操作されると（時点ｔ２１）、モーター６は起動せずに電源がオフ状態からオン状態に切り換わる。電源がオン状態に切り換わったことは、例えば表示部１３を点灯させてユーザーに報知することができる。本実施例において電源のオン状態とは、本体ケース１に対する加振操作によりモーター６の起動が可能なスタンバイ状態のことであり、電源のオフ状態とは、本体ケース１に対して加振操作してもモーター６の起動が不可能な休止状態のことである。
【００３７】
次の時点ｔ２２では、感振センサ１７から加速信号が出力されて、モーター６が基準回転数Ｒ０を目標回転数Ｒとして起動している。なお、電源のオン状態で加速信号に代えて減速信号が出力された場合でも、モーター６は同様の回転数で起動する。次の時点ｔ２３から時点ｔ２４にかけては、感振センサ１７から複数回にわたって加速信号および減速信号が出力されており、該出力毎に目標回転数Ｒが段階的に上昇あるいは低下している。次の時点ｔ２５では電源スイッチ１０がオフ操作されて、モーター６が停止するとともに電源がオフ状態に切り換わっている。電源がオフ状態に切り換わったことは、例えば表示部１３を消灯させてユーザーに報知することができる。最後の時点ｔ２６では感振センサ１７から加速信号が出力されているが、電源はオフ状態であるためモーター６は起動していない。他は実施例１と同じであるので、その説明を省略する。以下の実施例においても同じとする。
【００３８】
（実施例３）  図７に示す本発明の実施例３は、感振センサ１７が減速信号に代えてリセット信号を出力するようにした点で、先の実施例１と異なる。つまり、感振センサ１７が加速方向（上方向と左方向）の振動を感知した場合に加速信号を出力する点は実施例１と同じであるが、加速方向と反対の下方向と右方向の振動を感知した場合には、モーター６の目標回転数Ｒを基準回転数Ｒ０に戻すためのリセット信号が出力される。同図のタイミングチャートに示すように、モーター６の起動と加速（時点ｔ３１〜ｔ３３）に関しては実施例１（図４の時点ｔ１〜ｔ３）と同じであるが、次の時点ｔ３４では感振センサ１７がリセット信号を出力して、目標回転数Ｒは基準回転数Ｒ０まで一気に低下している。次の時点ｔ３５〜ｔ３７にかけては、目標回転数Ｒが時点ｔ３２〜ｔ３４と同様に制御されている。
【００３９】
（実施例４）  図８に示す本発明の実施例３は、電源スイッチ１０が人体の接触を検知する静電容量式のタッチセンサ１０Ａからなる点で、先の実施例１と異なる。本体ケース１の上下方向の中途部には、内凹み状の括れ部からなるグリップ部１ａが設けられており、グリップ部１ａの左右それぞれにタッチセンサ１０Ａが配置されている。本実施例によれば、ユーザーが本体ケース１のグリップ部１ａを握るだけで、タッチセンサ１０Ａがユーザーの手を検知して電源がオン状態に切り換わるので、ユーザーは電源スイッチ１０を意識的に操作する必要が無く、電気かみそりを素早く起動させることができる。実施例１で電源操作部１１が占めていたスペースは、例えば表示部１３を上方へ拡張するなどの方法で活用することができる。
【００４０】
（実施例５）  図９に示す本発明の実施例５は、感振センサ１７の構造が先の実施例１とは異なる。ここでの感振センサ１７は、左右に長い棒磁石３０と、棒磁石３０を囲むコイル３１とを備える。棒磁石３０はコイル３１に対して左右方向に相対移動可能であり、常態においてはばね等の付勢手段３２により左右中央の中立位置へ付勢されている。棒磁石３０の静止中はコイル３１に電流は流れないが、ユーザーが本体ケース１を左右方向に振ると、棒磁石３０が相対移動してコイル３１に電流が流れる。本体ケース１が左方向（加速方向）に振られた場合すなわち棒磁石３０が右方向に移動した場合と、本体ケース１が右方向（減速方向）に振られた場合すなわち棒磁石３０が左方向に移動した場合とでは、コイル３１を流れる電流の向きが異なるので、これに基づき本体ケース１の振動の向きが感知されて、その向きに応じた加速信号あるいは減速信号が出力される。本実施例に係る感振センサ１７は、本体ケース１の左右方向の振動のみを感知することができる。
【００４１】
（実施例６）  図１０に示す本発明の実施例６も、感振センサ１７の構造が先の実施例１とは異なる。ここでの感振センサ１７は、２個の検知部３５と１個の被検知部３６を備える近接センサで構成されており、被検知部３６を左右両側から挟むように検知部３５が配置されている。被検知部３６は検知部３５に対して左右方向に相対移動可能であり、常態においてはばね等の付勢手段３７により、両検知部３５から離間した左右中央の中立位置へ付勢されている。ユーザーが本体ケース１を左方向（加速方向）に振ると、被検知部３６が右方向に移動し、これを検知した右側の検知部３５が加速信号を出力する。逆に、ユーザーが本体ケース１を右方向（減速方向）に振ると、被検知部３６が左方向に移動し、これを検知した左側の検知部３５が減速信号を出力する。本実施例に係る感振センサ１７も、本体ケース１の左右方向の振動のみを感知することができる。
【００４２】
（実施例７）  図１１に示す本発明の実施例７は、感振センサ１７が振動の向きに加えて強さを感知する点で、先の実施例１と異なる。加速度センサからなる感振センサ１７は、加速方向（上方向と左方向）と減速方向（下方向と右方向）のそれぞれにおいて、振動の強さを「強」「中」「弱」の３段階で感知し、その強さに応じた加速信号あるいは減速信号を出力する。つまり、同図のタイミングチャートに示すように、感振センサ１７で感知される振動が強いほど、変速の度合いが大きい加速信号（時点ｔ４１〜ｔ４３）あるいは減速信号（時点ｔ４４〜ｔ４６）が出力されて、モーター６が大きく加速あるいは減速される。本実施例では、振動の強さが「弱」相当のときのモーター６の変速量を「１」とするとき、「中」相当のときの変速量を「２」、「強」相当のときの変速量を「３」に設定したが、この数値は任意に選択することができる。また、感振センサ１７が感知する振動の強さも３段階に限られない。
【００４３】
（実施例８）  図１２に示す本発明の実施例８は、感振センサ１７の構造が先の実施例７とは異なる。ここでの感振センサ１７は、６個の検知部４０と１個の被検知部４１を備える近接センサで構成される。検知部４０は感振センサ１７のハウジング４２に設けられており、被検知部４１はハウジング４２の内部を左右摺動可能なスライド体４３に設けられている。常態におけるスライド体４３と被検知部４１は、ばね等の付勢手段４４により左右中央の中立位置へ付勢されている。各付勢手段４４の一端はハウジング４２に固定されており、他端はスライド体４３に対して接離可能である。検知部４０は、被検知部４１の移動ストロークに沿って、中立位置における被検知部４１の左右に３個ずつ配置されている。被検知部４１は、中立位置から左右方向に移動することにより、いずれかの検知部４０で検知される。
【００４４】
ユーザーが本体ケース１を左方向（加速方向）に大きく振るほど、被検知部４１は右方向へ大きく移動する。振る力が「強」相当のときは、最も右側の検知部４０が被検知部４１を検知し、振る力が「中」相当のときは、右から２番目の検知部４０が被検知部４１を検知し、振る力が「弱」相当のときは、右から３番目の検知部４０が被検知部４１を検知する。逆に、ユーザーが本体ケース１を右方向（減速方向）に大きく振るほど、被検知部４１は左方向へ大きく移動する。振る力が「強」相当のときは、最も左側の検知部４０が被検知部４１を検知し、振る力が「中」相当のときは、左から２番目の検知部４０が被検知部４１を検知し、振る力が「弱」相当のときは、左から３番目の検知部４０が被検知部４１を検知する。感振センサ１７で感知される振動が強いほど、変速の度合いが大きい加速信号あるいは減速信号が出力される点は、先の実施例７と同様である。本実施例に係る感振センサ１７は、本体ケース１の左右方向の振動のみを感知することができる。
【００４５】
（実施例９）  図１３に示す本発明の実施例９も、感振センサ１７の構造が先の実施例７とは異なる。ここでの感振センサ１７は、重量のある左右に長い押圧棒４７と、押圧棒４７の左右両側に配置される圧力センサ４８とを備える。押圧棒４７は保持筒４９で周面を抱持されており、保持筒４９に対して左右摺動のみ可能である。各圧力センサ４８は、押圧棒４７の端面に正対する受圧面を備えており、押圧棒４７から受ける圧力の大きさを複数段階（例えば３段階）で検知することができる。ユーザーが本体ケース１を左方向（加速方向）に大きく振るほど、右側の圧力センサ４８に大きな圧力が作用し、該圧力の大きさに応じた加速信号が出力される。逆に、ユーザーが本体ケース１を右方向（減速方向）に大きく振るほど、左側の圧力センサ４８に大きな圧力が作用し、該圧力の大きさに応じた減速信号が出力される。本実施例に係る感振センサ１７も、本体ケース１の左右方向の振動のみを感知することができる。
【００４６】
上記の実施例１などでは、電気かみそりの上方向と左方向を加速方向に設定し、下方向と右方向を減速方向に設定したが、これ以外に例えば、左方向と右方向を加速方向に設定し、上方向と下方向を減速方向に設定してもよい。モーター６には、上記の各実施例に係る回転式のモーターに加えて、往復式のリニアモーターも含まれる。本発明は、上記の各実施例に係るロータリー式の電気かみそり以外に、往復駆動式の切断刃を備える電気かみそりや、内刃（可動刃）のみからなる切断刃を備える電気かみそり、あるいは、本体ケース１の上部に切断刃３が設けられている電気かみそり（かみそりヘッド２を備えない電気かみそり）などにも適用することができる。さらに、本発明の電気かみそりには、外刃と内刃で主にひげを切断するシェーバーに加えて、櫛状の固定刃と櫛状の可動刃で主に髪を切断する電気式のバリカンも含まれる。
【符号の説明】
【００４７】
１  本体ケース
２  かみそりヘッド
３  切断刃
４  可動刃（内刃）
５  外刃
６  モーター
１０  電源スイッチ
１７  感振センサ
【図１】
2020092779.tif 000003
【図２】
2020092779.tif 000004
【図３】
2020092779.tif 000005
【図４】
2020092779.tif 000006
【図５】
2020092779.tif 000007
【図６】
2020092779.tif 000008
【図７】
2020092779.tif 000009
【図８】
2020092779.tif 000010
【図９】
2020092779.tif 000011
【図１０】
2020092779.tif 000012
【図１１】
2020092779.tif 000013
【図１２】
2020092779.tif 000014
【図１３】
2020092779.tif 000015